(57)【要約】Ｗ−ＣＤＭＡなどの無線通信方式において基地局２，４，６と移動局８との間で送受信されるフレームの付加情報を１つ前のフレームに付加して先に送り、受信側では前記１つ前のフレームに付加されて先に送られてきた付加情報により、その付加情報のフレームに対する復調特性を事前に制御調整しておき、前記制御調整した復調特性で、次に送られてくる前記フレームを復調し、基地局２，４，６と移動局８との間で送受信されるフレームの通信品質の向上を図る。
2002047420.tif 000002
【特許請求の範囲】
【請求項１】
フレームに付加情報を付加して送受信し無線通信を行う無線通信方法において、
フレームの付加情報を、前記フレームより先に送信するフレームに付加して受信側へ送り、受信側は受信したフレームに付加されている、先に送信されてきた、
前記受信したフレームより後に送られてくるフレームの付加情報をもとに、前記後に送られてくるフレームを受信する無線通信方法。
【請求項２】
付加情報は、復調に関連する情報であることを特徴とする請求の範囲第１項記載の無線通信方法。
【請求項３】
付加情報は、通信速度に関する情報を含むことを特徴とする請求の範囲第１項記載の無線通信方法。
【請求項４】
無線通信において次世代通信システムの無線フォーマットが適用され、付加情報が含む通信速度に関する情報は、前記次世代通信システムの無線フォーマットの通信速度に関する情報であることを特徴とする請求の範囲第３項記載の無線通信方法。
【請求項５】
フレームの付加情報を、前記フレームより先に送信するフレームに付加して受信側へ送るか否かを無線チャネルごとに選択することを特徴とする請求の範囲第１項記載の無線通信方法。
【請求項６】
フレームの付加情報を、前記フレームより先に送信するフレームに付加して受信側へ送るか否かをアップリンクまたはダウンリンクごとに選択することを特徴とする請求の範囲第１項記載の無線通信方法。
【請求項７】
付加情報の付加されたフレームを移動局装置と送受信し無線通信を行う基地局装置において、
フレームの付加情報を、前記フレームより先に送信するフレームに付加して前記移動局装置へ送り、また前記移動局装置から受信したフレームに付加されている、先に送信されてきた、前記受信したフレームより後に送られてくるフレームの付加情報をもとに、前記送られてくるフレームを受信する付加情報先行モードを備えたことを特徴とする基地局装置。
【請求項８】
付加情報は、復調に関連する情報であることを特徴とする請求の範囲第７項記載の基地局装置。
【請求項９】
付加情報は、通信速度に関する情報を含むことを特徴とする請求の範囲第７項記載の基地局装置。
【請求項１０】
移動局装置との間の無線通信において次世代通信システムの無線フォーマットが適用され、付加情報が含む通信速度に関する情報は、前記次世代通信システムの無線フォーマットの通信速度に関する情報であることを特徴とする請求の範囲第９項記載の基地局装置。
【請求項１１】
付加情報先行モードは、無線チャネルごとに設定されることを特徴とする請求の範囲第７項記載の基地局装置。
【請求項１２】
付加情報先行モードは、アップリンクまたはダウンリンクごとに設定されることを特徴とする請求の範囲第７項記載の基地局装置。
【請求項１３】
複数のスロットからなる付加情報の付加されたフレームを基地局装置と送受信し無線通信を行う移動局装置において、
フレームの付加情報を、前記フレームより先に送信するフレームに付加して前記基地局装置へ送り、また前記基地局装置から受信したフレームに付加されている、先に送信されてきた、前記受信したフレームより後に送られてくるフレームの付加情報をもとに、前記送られてくるフレームを受信する付加情報先行モードを備えたことを特徴とする移動局装置。
【請求項１４】
付加情報は、復調に関連する情報であることを特徴とする請求の範囲第１３項記載の移動局装置。
【請求項１５】
付加情報は、通信速度に関する情報を含むことを特徴とする請求の範囲第１３項記載の移動局装置。
【請求項１６】
基地局装置との間の無線通信において次世代通信システムの無線フォーマットが適用され、付加情報が含む通信速度に関する情報は、前記次世代通信システムの無線フォーマットの通信速度に関する情報であることを特徴とする請求の範囲第１５項記載の移動局装置。
【請求項１７】
付加情報先行モードは、無線チャネルごとに設定されることを特徴とする請求の範囲第１３項記載の移動局装置。
【請求項１８】
付加情報先行モードは、アップリンクまたはダウンリンクごとに設定されることを特徴とする請求の範囲第１３項記載の移動局装置。
【発明の詳細な説明】
技術分野
この発明は、無線通信においてフレームに付加されて送受信される付加情報を、そのフレームより先に送受信することで、無線通信における通信品質を向上させる無線通信方法および装置に関するものである。
背景技術
第１０図は、ＣＤＭＡなどの無線通信方式が適用される移動局と基地局との間の無線通信において送受信されるフレームと、そのフレームにおけるデータと、前記フレームに付加される付加情報とを示す説明図である。図において、１００Ａはフレーム“０”における付加情報であり、例えば当該フレーム“０”で送受信するデータ量に応じて拡散率を変更するための制御情報である。１００Ｂは前記フレーム“０”で送受信する情報チャネルであり、例えば音声などのデータである。１０１Ａはフレーム“１”に付加されている付加情報であり、例えば当該フレーム“１”で送受信するデータ量に応じて拡散率を変更するための制御情報である。１０１Ｂは前記フレーム“１”で送受信する例えば音声などのデータである。１０２Ａはフレーム“２”に付加されている付加情報であり、例えば当該フレーム“２”で送受信するデータの有無に応じた拡散率の制御情報である。１０２Ｂは前記フレーム“２”で送受信する例えば音声などのデータである。１０３Ａはフレーム“３”に付加されている付加情報であり、例えば当該フレーム“３”で送受信するデータ量に応じて拡散率を変更するための制御情報である。１０３Ｂは前記フレーム“３”で送受信する例えば音声などのデータである。
次に動作について説明する。
この従来の無線通信方式では、移動局と基地局との間の無線通信においてフレーム“０”、フレーム“１”、フレーム“２”、フレーム“３”の順で送受信される。そして、例えば音声などのデータが前記フレームの情報チャネルに挿入され、付加情報と組になって、所定のフォーマットで、前記移動局と前記基地局との間で送受信される。
ところでＣＤＭＡなどの無線通信方式の移動局ではバッテリを電源として動作しているのが一般的である。特に高速パケット通信では大量のデータを送受信する状況と、少ないデータを送受信する状況が混在している。このため前記ＣＤＭＡなどの無線通信方式の移動局では、少ないデータを送受信する状況で、大量のデータを送受信する状況と同じように電力を消費することがないように情報チャネルの拡散率を変化させる。具体的には、送受信するデータが少ないときには拡散率を大きくし、また前記データが多いときには拡散率を小さくする。このように拡散率を変化させた場合、前記移動局では、基地局へ送信するフレームごとに付加されている付加情報に前記変化させた拡散率についての情報を乗せ送信する。一方、前記拡散率の変化するデータを受信する受信側の基地局では、前記フレームごとに付加されて送られてくる前記付加情報、すなわち拡散率の情報をもとに復号部を制御し、受信した前記拡散率が変化しているデータを、復号するようにしている。
従来の無線通信方式、特にＣＤＭＡなどの無線通信方式は以上のように構成されているので、前記変化する拡散率などの付加情報はその拡散率が変化しているデータのフレームと組になって送受信されており、前記フレームの受信側では、そのフレームに付加された前記付加情報の拡散率の情報を受信するまで、受信した前記フレームについて復号部を制御することが出来ず、フレームごとに拡散率が変化するデータの送受信においては通信品質の向上が期待できないという課題がある。
なお、以上の説明では、ＣＤＭＡなどの無線通信方式において拡散率がフレームごとに変化する場合について述べたが、拡散率以外のパラメータであっても同様でありフレームごとに変化する無線通信方式であれば同じように通信品質の向上が期待できないという課題がある。
この発明は上記のような課題を解決するためになされたもので、送受信されるフレームごとに付加情報が変化する無線通信において通信品質の向上が期待できる無線通信方法および装置を得ることを目的とする。
発明の開示
この発明に係る無線通信方法は、フレームの付加情報を、前記フレームより先に送信するフレームに付加して受信側へ送り、受信側は受信したフレームに付加されている、先に送信されてきた、前記受信したフレームより後に送られてくるフレームの付加情報をもとに、前記後に送られてくるフレームを受信するようにしたものである。このことによって、前記付加情報がフレームごとに変わる場合に、そのフレームの受信前に、フレームを受信するための受信側における処理特性を、フレームごとに最良な通信品質で受信できる状態に制御しておくことが出来、フレームごとに付加情報が変化する無線通信において、受信側は最良な状態に制御された前記特性で前記フレームを受信でき、通信品質の向上が期待できる効果が得られる。
この発明に係る無線通信方法は、復調に関連する情報を付加情報としたものである。このことによって、前記復調に関連するパラメータ情報などがフレームごとに変わる場合に、そのフレームの受信前に、受信側のフレームの復調特性を、前記フレームが最良な通信品質で受信できる状態に制御しておくことが可能となり、フレームごとに付加情報が変化する無線通信において、受信側は最良な状態に制御された復調特性で前記フレームを受信でき、通信品質の向上が期待できる効果が得られる。
この発明に係る無線通信方法は、付加情報が通信速度に関する情報を含むようにしたものである。このことによって、通信速度がフレームごとに変わる場合に、そのフレームの受信前に、受信側のフレームの通信速度についての受信特性を、前記フレームが最良な通信品質で受信できる状態に制御しておくことが可能となり、フレームごとに付加情報が変化する無線通信において、受信側は最良な状態に制御された通信速度についての受信特性で前記フレームを受信でき、通信品質の向上が期待できる効果が得られる。
この発明に係る無線通信方法は、次世代通信システムの無線フォーマットの通信速度に関する情報を付加情報が含むようにしたものである。このことによって、次世代通信システムの無線フォーマットで通信速度がフレームごとに変わる場合でも、そのフレームの受信前に、フレームの通信速度についての受信特性を、前記付加情報をもとに、前記フレームが最良な通信品質で受信できる状態に制御調整しておくことが可能となり、フレームごとに付加情報が変化する無線通信において、最良な状態に制御された通信速度についての受信特性で前記フレームを受信でき、通信品質の向上が期待できる効果が得られる。
この発明に係る無線通信方法は、フレームの付加情報を、前記フレームより先に送信するフレームに付加して受信側へ送るか否かを無線チャネルごとに選択するようにしたものである。このことによって、付加情報が無線チャネルおよびフレームごとに変わる場合でも、無線チャネルごとにそのフレームの受信前に、受信側のフレームの受信処理の特性を、前記フレームが最良な通信品質で受信できる状態に制御しておくことが出来、無線チャネルに対しフレームごとに付加情報が変化する無線通信において、受信側は最良な状態に制御された前記特性で前記フレームを受信でき、通信品質の向上が期待できる効果が得られる。
この発明に係る無線通信方法は、フレームの付加情報を、前記フレームより先に送信するフレームに付加して受信側へ送るか否かをアップリンクまたはダウンリンクごとに選択するようにしたものである。このことによって、付加情報がアップリンクまたはダウンリンク、およびフレームごとに変わる場合でも、アップリンクまたはダウンリンクごとに、そのフレームの受信前に、受信側のフレームの受信処理の特性を、前記付加情報をもとに前記フレームが最良な通信品質で受信できる状態に制御しておくことが出来、アップリンクまたはダウンリンクに対しフレームごとに付加情報が変化する無線通信において、受信側は最良な状態に制御された前記特性で前記フレームを受信でき、通信品質の向上が期待できる効果が得られる。
この発明に係る基地局装置は、フレームの付加情報を、前記フレームより先に送信するフレームに付加して移動局装置へ送り、また前記移動局装置から受信したフレームに付加されている、先に送信されてきた、前記受信したフレームより後に送られてくるフレームの付加情報をもとに、前記送られてくるフレームを受信する付加情報先行モードを備えるようにしたものである。このことによって、付加情報がフレームごとに変わる場合に、フレームの受信前に、そのフレームを受信するための処理特性を前記付加情報をもとに最良な通信品質で受信できる状態に制御しておくことが可能となり、フレームごとに付加情報が変化する無線通信において、フレームごとに最良な状態に制御された前記処理特性でフレームを受信でき、通信品質の向上を図れる効果が得られる。
この発明に係る基地局装置は、復調に関連する情報を付加情報とするようにしたものである。このことによって、前記復調に関連するパラメータ情報などがフレームごとに変わる場合に、そのフレームの受信前に、フレームの復調特性を前記付加情報をもとに前記フレームが最良な通信品質で受信できる状態に制御しておくことが可能となり、フレームごとに付加情報が変化する無線通信において、最良な状態に制御された復調特性でフレームを受信することができ、通信品質の向上を図れる効果が得られる。
この発明に係る基地局装置は、付加情報が通信速度に関する情報を含むようにしたものである。このことによって、通信速度がフレームごとに変わる場合に、そのフレームの受信前に、フレームの通信速度についての受信特性を、前記付加情報をもとに前記フレームが最良な通信品質で受信できる状態に制御しておくことが可能となり、フレームごとに付加情報が変化する無線通信において、最良な状態に制御された通信速度についての受信特性でフレームを受信することができ、通信品質の向上を図れる効果が得られる。
この発明に係る基地局装置は、次世代通信システムの無線フォーマットの通信速度に関する情報を付加情報が含むようにしたものである。このことによって、次世代通信システムの無線フォーマットで通信速度がフレームごとに変わる場合に、そのフレームの受信前に、前記フレームの通信速度についての受信特性を、前記付加情報をもとに、前記フレームが最良な通信品質で受信できる状態に制御調整しておくことが可能となり、フレームごとに付加情報が変化する無線通信において、最良な状態に制御された通信速度についての受信特性で前記フレームを受信することができ、通信品質の向上を図れる効果が得られる。
この発明に係る基地局装置は、無線チャネルごとに設定される付加情報先行モードを備えるようにしたものである。このことによって、付加情報が無線チャネルおよびフレームごとに変わる場合でも、無線チャネルごとにそのフレームの受信前に、フレームの受信処理の特性を、前記付加情報をもとに前記フレームが最良な通信品質で受信できる状態に制御しておくことが出来、無線チャネルに対しフレームごとに付加情報が変化する無線通信において、最良な状態に制御された前記特性で前記フレームを受信することができ、通信品質の向上を図れる効果が得られる。
この発明に係る基地局装置は、アップリンクまたはダウンリンクごとに設定される付加情報先行モードを備えるようにしたものである。このことによって、付加情報がアップリンクまたはダウンリンク、およびフレームごとに変わる場合でも、アップリンクまたはダウンリンクごとにそのフレームの受信前に、フレームの受信処理の特性を、前記付加情報をもとに前記フレームが最良な通信品質で受信できる状態に制御しておくことが出来、アップリンクまたはダウンリンクに対しフレームごとに付加情報が変化する無線通信において、最良な状態に制御された前記特性で前記フレームを受信することができ、通信品質の向上を図れる効果が得られる。
この発明に係る移動局装置は、フレームの付加情報を、前記フレームより先に送信するフレームに付加して基地局装置へ送り、また前記基地局装置から受信したフレームに付加されている、先に送信されてきた、前記受信したフレームより後に送られてくるフレームの付加情報をもとに、前記送られてくるフレームを受信する付加情報先行モードを備えるようにしたものである。このことによって、付加情報がフレームごとに変わる場合に、そのフレームの受信前に、フレームを受信するための処理特性を前記付加情報をもとに最良な通信品質で受信できる状態に制御しておくことが可能となり、フレームごとに付加情報が変化する無線通信において、最良な状態に制御された前記処理特性でフレームを受信することができ、通信品質の向上を図れる効果が得られる。
この発明に係る移動局装置は、復調に関連する情報を付加情報としたものである。このことによって、前記復調に関連するパラメータ情報などがフレームごとに変わる場合に、そのフレームの受信前に、フレームの復調特性を、前記付加情報をもとに前記フレームが最良な通信品質で受信できる状態に制御しておくことが可能となり、フレームごとに付加情報が変化する無線通信において、最良な状態に制御された復調特性で前記フレームを受信することができ、通信品質の向上を図れる効果が得られる。
この発明に係る移動局装置は、付加情報が通信速度に関する情報を含むようにしたものである。このことによって、通信速度がフレームごとに変わる場合に、そのフレームの受信前に、フレームの通信速度についての受信特性を、前記付加情報をもとに前記フレームが最良な通信品質で受信できる状態に制御しておくことが可能となり、フレームごとに付加情報が変化する無線通信において、最良な状態に制御された通信速度についての受信特性で前記フレームを受信することができ、通信品質の向上を図れる効果が得られる。
この発明に係る移動局装置は、次世代通信システムの無線フォーマットの通信速度に関する情報を付加情報が含むようにしたものである。このことによって、次世代通信システムの無線フォーマットで通信速度がフレームごとに変わる場合に、そのフレームの受信前に、前記フレームの通信速度についての受信特性を、前記付加情報をもとに、前記フレームが最良な通信品質で受信できる状態に制御調整しておくことが可能となり、フレームごとに付加情報が変化する無線通信において、最良な状態に制御された通信速度についての受信特性で前記フレームを受信することができ、通信品質の向上を図れる効果が得られる。
この発明に係る移動局装置は、無線チャネルごとに設定される付加情報先行モードを備えるようにしたものである。このことによって、付加情報が無線チャネルおよびフレームごとに変わる場合でも、無線チャネルごとにそのフレームの受信前に、フレームの受信処理の特性を、前記付加情報をもとに前記フレームが最良な通信品質で受信できる状態に制御しておくことが出来、無線チャネルに対しフレームごとに付加情報が変化する無線通信において、最良な状態に制御された前記特性で前記フレームを受信することができ、通信品質の向上を図れる効果が得られる。
この発明に係る移動局装置は、アップリンクまたはダウンリンクごとに設定される付加情報先行モードを備えるようにしたものである。このことによって、付加情報がアップリンクまたはダウンリンク、およびフレームごとに変わる場合でも、アップリンクまたはダウンリンクごとにそのフレームの受信前に、フレームの受信処理の特性を、前記付加情報をもとに前記フレームが最良な通信品質で受信できる状態に制御しておくことが出来、アップリンクまたはダウンリンクに対しフレームごとに付加情報が変化する無線通信において、最良な状態に制御された前記特性で前記フレームを受信することができ、通信品質の向上を図れる効果が得られる。
発明を実施するための最良の形態
以下、この発明をより詳細に説明するために、この発明を実施するための最良の形態について、添付の図面に従って説明する。
実施の形態１．
第１図は、この発明の実施の形態１の無線通信方法が適用されるＷ−ＣＤＭＡ方式の無線通信システムの構成を示す系統図である。図において、１は無線制御・交換局、２，４，６は無線制御・交換局１とケーブルで接続された基地局、３は基地局２の基地局アンテナ、５は基地局４の基地局アンテナ、７は基地局６の基地局アンテナである。８は前記基地局２，４，６と無線回線により接続される移動局、９は移動局８の移動局アンテナである。
第２図は基地局２の構成を示す機能ブロック図であり、基地局４，６の構成も同様であるとする。図において、１１，１２は音声データや画像データ、データ通信における大量のパケットデータなどダウンリンクにおける情報チャネルデータの符号化を行う符号化手段、１３は前記情報チャネルデータをもとにフレームを生成するフレーム生成手段、１４は前記フレームの前記情報チャネルデータを搬送波やホッピングコードにより変調、拡散し、情報１ビットあたりの電力密度を小さくした搬送波帯信号として出力する変調部、１５は前記搬送波帯信号を無線信号へ変換し、送信電力制御を行なって基地局アンテナ３から移動局８へ出力する送信部である。
１６はアップリンクにおいて無線信号へ変換されて移動局８から送られてきたフレーム化された情報チャネルデータを基地局アンテナ３を介して受信する受信部、１７は前記フレーム化された情報チャネルデータとをホッピングコードなどにより復調し出力する復調部、１８は前記復調部１７が復調した情報チャネルデータのフレームを受信するフレーム受信手段である。１９，２０は前記情報チャネルデータを復号化する復号化手段である。
２１は基地局と移動局８との間の無線通信における前記基地局のダウンリンクについて付加情報先行モードの設定の切り替えを行うための付加情報先行モード切替手段である。２２は付加情報出力手段であり、無線制御・交換局１から送られてきた情報チャネルデータをもとに、それらの情報チャネルデータのフレームの付加情報を出力する。
この基地局のダウンリンクにおける付加情報先行モードは、無線制御・交換局１と前記基地局との間で送受信されるモード切替メッセージをもとに、付加情報先行モード切替手段２１により切り替えられる。
付加情報先行モード切替手段２１により付加情報先行モードへの切り替えが行われると、今回、無線制御・交換局１から送られてきた情報チャネルデータをもとに、それら情報チャネルデータのフレームの付加情報が付加情報出力手段２２で検出される。そして、前記検出された付加情報がフレーム生成手段１３へ出力され、無線制御・交換局１から送信されすでに符号化手段１１，１２により符号化されている情報チャネルデータによりフレーム生成手段１３が生成した、前記フレームより１つ先のフレームへ付加される。つまり、前記基地局から移動局８へ送信する１つ先のフレームへ１つ後のフレームの付加情報を付加し、付加情報についてのみ１フレーム分、先に送る。
２３は移動局８と基地局との間の無線通信における前記基地局のアップリンクについて付加情報先行モードの設定の切り替えを行うための付加情報先行モード切替手段である。２４は付加情報遅延手段であり、移動局８から送られてきたフレームから検出したそのフレームに付加されている、次回、送られてくるフレームの付加情報を１フレーム分遅らせ、移動局８から次回送られてくるフレームの受信直前に前記検出した付加情報に応じて復調部１７、復号手段１９，２０などの処理特性を制御する。そして、前記付加情報より１フレーム分遅れて送られてくるフレームの情報チャネルデータなどを、前記復調部１７、復号手段１９，２０などが最良な状態で処理できるように事前に制御する。
この基地局のアップリンクにおける付加情報先行モードは、無線制御・交換局１と前記基地局との間で送受信されるモード切替メッセージをもとに、付加情報先行モード切替手段２３により切り替えられる。
付加情報先行モード切替手段２３により付加情報先行モードへの切り替えが行われると、今回、移動局８から送られてきたフレーム受信手段１８で受信されたフレームの付加情報が付加情報遅延手段２４で検出される。そして、前記検出された付加情報は１フレーム分遅延され、移動局８から送信される次回のフレームを受信する直前に前記付加情報に応じて復調部１７、復号手段１９，２０が制御される。
第３図は、移動局８の構成を示すブロック図である。図において、３１は基地局で無線信号に変換され送信されてきたダウンリンクのフレーム化された情報チャネルデータを受信する受信部、３２は前記情報チャネルデータを復調する復調部、３３は前記復調した情報チャネルデータのフレームを受信するフレーム受信手段、３４，３５は前記フレームの情報チャネルデータを復号する復号手段である。
３６，３７は移動局８と前記基地局との間で無線通信により送受信されるアップリンクの情報チャネルデータを符号化する符号化手段、３８は符号化された情報チャネルデータをフレーム化するフレーム生成手段、３９は前記フレームの前記情報チャネルデータを搬送波やホッピングコードにより変調、拡散し、情報１ビットあたりの電力密度を小さくした搬送波帯信号として出力する変調部、４０は前記搬送波帯信号を無線信号へ変換し、送信電力制御を行なって移動局アンテナ９から前記基地局へ出力する送信部である。
４１は通信を行うために無線制御・交換局１から事前に送られてくる制御情報に含まれる付加情報先行モードについての制御データをもとに、移動局８における付加情報先行モードの設定の切り替えを制御するモード切替制御手段、４２は移動局８のダウンリンクについて付加情報先行モードの設定の切り替えを行う付加情報先行モード切替手段である。４３は付加情報遅延手段であり、今回、基地局より送られてきたフレームから検出したそのフレームに付加されている付加情報を１フレーム分遅らせ、次回、前記基地局から送信されるフレームが受信される直前に前記検出した付加情報に応じて復調部３２、復号手段３４，３５を制御し、前記付加情報より１フレーム分遅れて送られてくるフレームの情報チャネルデータなどを、前記復調部３２、復号手段３４，３５などが最良な状態で処理できるように事前に制御する。
４４は前記基地局と移動局８との間の無線通信における移動局８のアップリンクについて、付加情報先行モードの設定の切り替えを行うための付加情報先行モード切替手段である。この付加情報先行モード切替手段４４により付加情報先行モードへの切り替えが行われると、今回、移動局８から前記基地局へ送信する、符号化手段３６，３７へ入力される情報チャネルデータをもとに、それら情報チャネルデータのフレームの付加情報が検出される。そして、情報チャネルデータのフレームより１つ先の、すでに符号化されている情報チャネルデータによりフレーム生成手段３８が生成したフレームへ、前記検出された付加情報が付加される。４５は付加情報出力手段であり、今回、移動局８から前記基地局へ送信する、符号化手段３６，３７へ入力される情報チャネルデータのフレームの付加情報を出力し、前記フレームより１つ先のフレーム生成手段３８が生成したフレームへ前記付加情報を付加する。つまり、移動局８から前記基地局へ送信する１つ先のフレームへ１つ後のフレームの付加情報を付加し、付加情報についてのみ１フレーム分、先に送る。
この移動局８のダウンリンクとアップリンクにおける付加情報先行モードは、通信を行うために無線制御・交換局１から事前に移動局８へ送られてくる制御情報に含まれるダウンリンクとアップリンクについての付加情報先行モード制御データをもとにモード切替制御手段４１により制御される。
第４図は、このＷ−ＣＤＭＡ方式の無線通信システムに適用される３ＧＰＰ（３ｒｄ　Ｇｅｎｅｒａｔｉｏｎ　Ｐａｒｔｎｅｒｓｈｉｐ　Ｐｒｏｊｅｃｔ：Ｗ−ＣＤＭＡ方式の次世代通信システムについて移動局をいずれの国でも使用可能にするために各国でその標準化が進められている国際規則）で規定されるスロットおよびフレームのフォーマット図であり、移動局８と基地局２，４，６との間のアップリンクフォーマットを示す。図において、５１は１フレーム分のデータフォーマットでありスロット♯０からスロット♯１４までの合計１５個のスロットから構成される。５２はスロット♯ｉの付加情報のフォーマット構成を示す。５３はスロット♯ｉの情報チャネルデータのフォーマット構成を示す。付加情報のフォーマット構成は、パイロット（Ｐｉｌｏｔ）６１、当該フレームの情報チャネルデータの拡散率、通信速度などが示される“ＴＦＣＩ”（ｔｒａｎｓｐｏｒｔ−ｆｏｒｍａｔ　ｃｏｍｂｉｎａｔｉｏｎ　ｉｎｄｉｃａｔｏｒ）６２、フィードバックインフォメーション“ＦＢＩ”（ｆｅｅｄｂａｃｋ　ｉｎｆｏｒｍａｔｉｏｎ）６３、送信パワーコントロールコマンド“ＴＰＣ”（ｔｒａｎｓｍｉｔ　ｐｏｗｅｒ−ｃｏｎｔｒｏｌ）６４などから構成されている。
第５図は、このＷ−ＣＤＭＡ方式の無線通信システムに適用される３ＧＰＰで規定されるスロットおよびフレームのフォーマット図であり、移動局８と基地局２，４，６との間のダウンリンクフォーマットを示す。図において、７１は１フレーム分のデータフォーマットでありスロット♯０からスロット♯１４までの合計１５個のスロットから構成される。７２はスロット♯ｉの付加情報および情報チャネルデータのフォーマット構成を示す。付加情報のフォーマット構成は、パイロット（Ｐｉｌｏｔ）８１、当該フレームの情報チャネルデータの拡散率、通信速度などが示される“ＴＦＣＩ”８２、送信パワーコントロールコマンド“ＴＰＣ”８３などから構成されている。また、情報チャネルデータのフォーマット構成はデータ“１”（ｄａｔａ１）８４およびデータ“２”（ｄａｔａ２）８５などから構成されている。
次に動作について説明する。
先ず、付加情報先行モードについて説明する。
この付加情報先行モードは、Ｗ−ＣＤＭＡなどの無線通信方式において基地局２，４，６と移動局８との間で送受信されるフレームの付加情報を１つ前のフレームに付加して先に送るモードであり、無線制御・交換局１から基地局側、移動局側へこの付加情報先行モードの設定が行われる。また、この付加情報先行モードは無線チャネルごと（ユーザごと）、アップリンクまたはダウンリンク別に設定できる。
また、前記付加情報先行モードでは、基地局側または移動局側での復調に関連する情報、さらに具体的には拡散率や通信速度に関する情報を付加情報として１つ前のフレームに付加して先に送ることが出来る。また、第４図および第５図に示すフォーマット構成が適用される場合、通信速度に関する付加情報は、付加情報“ＴＦＣＩ”６２、８２などを１つ前のフレームに付加して先に送ることが出来る。
この付加情報先行モードの設定は、無線制御・交換局１から基地局２，４，６や移動局８に対し行われる。無線制御・交換局１から前記基地局に対する付加情報先行モードの設定は、無線制御・交換局１と前記基地局との間で送受信されるモード切替メッセージをもとに、第２図の付加情報先行モード切替手段２１、２３が通常モードから付加情報先行モードへモードを切り替えることで行う。また、無線制御・交換局１から移動局８に対する付加情報先行モードの設定は、通信を行うために無線制御・交換局１から事前に移動局８へ送られる制御情報に含まれる付加情報先行モードについての制御データをもとに、第３図のモード切替制御手段４１により制御される付加情報先行モード切替手段４２，４４により行われ、通常モードから付加情報先行モードへ切り替えられる。
また、無線チャネルごと（ユーザごと）の付加情報先行モードの設定については、拡散コードに対応した無線チャネルごとに、送受信する各フレームについて、例えばユーザ１については「付加情報先行モードを設定する」、「ユーザ２については通常モードを設定する」などのモード切替メッセージにより無線制御・交換局１から設定される。
また、アップリンクまたはダウンリンク別の基地局における付加情報先行モードの設定については、無線制御・交換局１と基地局との間で送受信されるヘッダ情報における、アップリンクについての付加情報先行モードの設定か、またはダウンリンクについての付加情報先行モードの設定かを示すモード切替メッセージをもとに、第２図の付加情報先行モード切替手段２１または付加情報先行モード切替手段２３が通常モードから付加情報先行モードへモードをアップリンクまたはダウンリンク別に切り替えることで行う。
また、アップリンクまたはダウンリンク別の移動局８における付加情報先行モードの設定については、無線制御・交換局１と移動局８との間で送受信される最初の制御チャネルデータの付加情報先行モードについての制御データをもとに、第３図のモード切替制御手段４１や付加情報先行モード切替手段４２，４４により行われ、アップリンクまたはダウンリンク別に通常モードから付加情報先行モードへ切り替えられる。
次に、付加情報先行モード設定後の基地局と移動局８との間の無線通信において送受信されるフレームと付加情報について説明する。
第６図は、基地局および移動局８においてアップリンクとダウンリンクの双方またはいずれかに付加情報先行モードが無線制御・交換局１から設定されているときの、前記基地局と移動局８との間の無線通信で送受信されるフレームと、そのフレームの情報チャネルデータと、そのフレームに付加された付加情報とを示す説明図である。この場合、フレーム“０”、フレーム“１”、フレーム“２”、フレーム“３”の順で前記基地局と移動局８との間で送受信される。
前記基地局において付加情報先行モード切替手段２１により付加情報先行モードへの切り替えが行われていると、今回、無線制御・交換局１から送られてきた情報チャネルデータをもとに、それら情報チャネルデータのフレーム“１”の付加情報１が付加情報出力手段２２で検出される。そして、前記検出された付加情報１がフレーム生成手段１３へ出力され、無線制御・交換局１から送信されすでに符号化手段１１，１２により符号化されている情報チャネルデータによりフレーム生成手段１３が生成した、前記フレーム“１”より１つ先のフレーム“０”へ付加される。つまり、前記基地局から移動局８へ送信する１つ先のフレームへ１つ後のフレームの付加情報を付加し、付加情報についてのみ１フレーム分、先に送る。
一方、移動局８では、付加情報遅延手段４３が、今回、前記基地局より送られてきたフレーム“０”から検出したそのフレーム“０”に付加されている付加情報１を１フレーム分遅らせ、次回、前記基地局から送信されるフレーム“１”が受信される直前に前記検出した付加情報１に応じて復調部３２、復号手段３４，３５を制御し、フレーム“１”の情報チャネルデータなどを、前記復調部３２、復号手段３４，３５などが最良な状態で処理できるように事前に制御する。
また、移動局８の付加情報先行モード切替手段４４により付加情報先行モードへの切り替えが行われていると、今回、移動局８から前記基地局へ送信する、符号化手段３６，３７へ入力される情報チャネルデータをもとに、それら情報チャネルデータのフレーム“１”の付加情報１が検出される。そして、前記情報チャネルデータのフレーム“１”より１つ先の、すでに符号化されている情報チャネルデータによりフレーム生成手段３８が生成したフレーム“０”へ、前記検出された付加情報１が付加される。つまり、移動局８から前記基地局へ送信する１つ先のフレーム“０”へ１つ後のフレーム“１”の付加情報１を付加し、付加情報についてのみ１フレーム分、先に送る。
一方、前記基地局の付加情報先行モード切替手段２３により付加情報先行モードへの切り替えが行われていると、今回、移動局８から送られてきたフレーム受信手段１８で受信されたフレーム“０”に付加されている付加情報１が付加情報遅延手段２４で検出される。そして、前記検出された付加情報１は１フレーム分遅延され、移動局８から送信される次回のフレーム“１”を受信する直前に前記付加情報１に応じて復調部１７、復号手段１９，２０を制御し、フレーム“１”の情報チャネルデータなどを、前記復調部３２、復号手段３４，３５などが最良な状態で処理できるように事前に制御する。
このように、フレーム“０”の情報チャネルには、フレーム“０”の本来の情報チャネルデータであるｄａｔａ“０”が挿入され、フレーム“０”に付加される付加情報としては、フレーム“０”の次に送受信されるフレーム“１”の付加情報が付加される。また、フレーム“１”の情報チャネルには、フレーム“１”の本来の情報チャネルデータであるｄａｔａ“１”が挿入され、フレーム“１”に付加される付加情報としては、フレーム“１”の次に送受信されるフレーム“２”の付加情報が付加される。また、フレーム“２”の情報チャネルには、フレーム“２”の本来の情報チャネルデータであるｄａｔａ“２”が挿入され、フレーム“２”に付加される付加情報としては、フレーム“２”の次に送受信されるフレーム“３”の付加情報が付加される。また、フレーム“３”の情報チャネルには、フレーム“３”の本来の情報チャネルデータであるｄａｔａ“３”が挿入され、フレーム“３”に付加される付加情報としては、フレーム“３”の次に送受信されるフレーム“４”の付加情報が付加される。
第７図は、基地局および移動局８においてアップリンクとダウンリンクの双方またはいずれかに付加情報先行モードが無線制御・交換局１から設定されているときの、前記基地局と移動局８との間の無線通信で送受信されるフレームと、そのフレームの情報チャネルデータと、そのフレームに付加された付加情報を示す説明図である。この場合の付加情報は、例えば次に送られてくるフレームについての復調に関する情報、フレームごとに通信速度が変わる場合にはその通信速度に関する情報と、自己フレームに関する付加情報である。第７図において、付加情報１−１はフレーム“０”の次に送られてくるフレーム“１”についての復調に関する情報、フレームごとに通信速度が変わる場合にはその通信速度に関する情報、付加情報０−２は自己のフレーム“０”に関する付加情報である。また、付加情報２−１はフレーム“１”の次に送られてくるフレーム“２”についての復調に関する情報、フレームごとに通信速度が変わる場合にはその通信速度に関する情報、付加情報１−２は自己のフレーム“１”に関する付加情報である。また、付加情報３−１はフレーム“２”の次に送られてくるフレーム“３”についての復調に関する情報、フレームごとに通信速度が変わる場合にはその通信速度に関する情報、付加情報２−２は自己のフレーム“２”に関する付加情報である。
また、付加情報４−１はフレーム“３”の次に送られてくるフレーム“４”についての復調に関する情報、フレームごとに通信速度が変わる場合にはその通信速度に関する情報、付加情報３−２は自己のフレーム“３”に関する付加情報である。
このように、自己のフレームに関する付加情報とともに、次に送られてくるフレームについての復調に関する情報、フレームごとに通信速度が変わる場合にはその通信速度に関する情報を付加情報として一緒に送ることで、送受信されるフレームごとに通信速度などの付加情報が変化する無線通信において通信品質の向上が期待できる無線通信方法および装置が得られる効果がある。
第８図は、基地局および移動局８において無線チャネル（ユーザ）ごとに付加情報先行モードまたは通常モードが設定されているときの、前記基地局と移動局８との間の無線通信で送受信されるフレームと、そのフレームの情報チャネルデータと、そのフレームに付加された付加情報の一例を示す説明図である。この場合の付加情報は、例えば次に送られてくるフレームについての復調に関する情報、フレームごとに通信速度が変わる場合にはその通信速度に関する情報である。第８図は、フレーム“０”からフレーム“３”までの各フレームについてユーザ１の無線チャネルのみについて付加情報先行モードが設定されている例である。
第９図は、基地局および移動局８においてアップリンクまたはダウンリンクごとに付加情報先行モードが設定されているときの、前記基地局と移動局８との間の無線通信で送受信されるフレームと、そのフレームの情報チャネルデータと、そのフレームに付加された付加情報の一例を示す説明図である。この場合の付加情報は、例えば次に送られてくるフレームについての復調に関する情報、フレームごとに通信速度が変わる場合にはその通信速度に関する情報である。第９図は、フレーム“０”からフレーム“３”までの各フレームについてアップリンクのみについて付加情報先行モードが設定されている例である。
以上のようにこの実施の形態１によれば、１つ後のフレームの復調に関連する情報、拡散率や通信速度に関する情報を含む付加情報を１つ前のフレームに付加して先に送ることが出来るため、前記復調に関連するパラメータ情報、拡散率や通信速度がフレームごとに変わる場合に、そのフレームの受信前に、受信側の基地局、移動局８の復号手段や復調部の特性を、前記フレームが最良な通信品質で受信できる状態に制御調整しておくことが可能となり、フレームごとに付加情報が変化する無線通信において、前記フレームごとに最良な状態に特性が制御調整された受信側の基地局、移動局８の復号手段や復調部によりフレームの受信を行うことが出来、通信品質の向上が期待できる無線通信方法および装置が得られる効果がある。
産業上の利用可能性
以上のように、無線通信において送信するフレームの付加情報を１つ先に送信するフレームに付加し受信側へ送るようにしたので、前記受信側の特性が、先に送られてきた前記付加情報により最適に制御された状態で、前記付加情報のフレームを受信できるため、無線通信において送受信されるフレームの通信品質を向上させるのに適している。
【図面の簡単な説明】
第１図は、この発明の実施の形態１の無線通信方法が適用されるＷ−ＣＤＭＡ方式の無線通信システムの構成を示す系統図である。
第２図は、この発明の実施の形態１の無線通信方法が適用されるＷ−ＣＤＭＡ方式の無線通信システムの基地局の構成を示す機能ブロック図である。
第３図は、この発明の実施の形態１の無線通信方法が適用されるＷ−ＣＤＭＡ方式の無線通信システムの移動局の構成を示すブロック図である。
第４図は、３ＧＰＰで規定されるスロットおよびフレームのフォーマット図である。
第５図は、３ＧＰＰで規定されるスロットおよびフレームのフォーマット図である。
第６図は、この発明の実施の形態１の基地局と移動局との間の無線通信で送受信されるフレームと、そのフレームの情報チャネルデータと、そのフレームに付加された付加情報を示す説明図である。
第７図は、この発明の実施の形態１の基地局と移動局との間の無線通信で送受信されるフレームと、そのフレームの情報チャネルデータと、そのフレームに付加された付加情報を示す説明図である。
第８図は、この発明の実施の形態１の基地局および移動局において無線チャネルごとに付加情報先行モードが設定されているときの、前記基地局と移動局との間の無線通信で送受信されるフレームと、そのフレームの情報チャネルデータと、そのフレームに付加された付加情報の一例を示す説明図である。
第９図は、この発明の実施の形態１の基地局および移動局においてアップリンクまたはダウンリンクごとに付加情報先行モードが設定されているときの、前記基地局と移動局との間の無線通信で送受信されるフレームと、そのフレームの情報チャネルデータと、そのフレームに付加された付加情報の一例を示す説明図である。
第１０図は、従来の移動局と基地局との間の無線通信において送受信されるフレームと、そのフレームにおけるデータと、前記フレームに付加される付加情報とを示す説明図である。
【図１】
2002047420.tif 000003
【図２】
2002047420.tif 000004
【図３】
2002047420.tif 000005
【図４】
2002047420.tif 000006
【図５】
2002047420.tif 000007
【図６】
2002047420.tif 000008
【図７】
2002047420.tif 000009
【図８】
2002047420.tif 000010
【図９】
2002047420.tif 000011
【図１０】
2002047420.tif 000012
【国際調査報告】
2002047420.tif 000013
2002047420.tif 000014
2002047420.tif 000015